(57)【特許請求の範囲】
【請求項１】
繊維層を有して所定厚さに形成された嵩高の拭き取り領域と、前記拭き取り領域の両側部から延びる前記拭き取り領域よりも薄い取付け領域とを有する清掃用シートにおいて、前記拭き取り領域と前記取付け領域との境界部から前記拭き取り領域内に入り込む凹部が、前記境界部に沿って間隔を空けて複数箇所形成されていることを特徴とする清掃用シート。
【請求項２】
個々の凹部の平面形状は、前記境界部で幅寸法が最も広く、前記拭き取り領域の中心に向って徐々に幅寸法が狭くなる形状である請求項１記載の清掃用シート。
【請求項３】
前記拭き取り領域の一方の側の前記境界部から前記拭き取り領域に入り込む複数の凹部と、他方の側の前記境界部から前記拭き取り領域内に入り込む複数の凹部とが、前記境界部に沿う方向へ互いに位置がずれて配置されている請求項１または２記載の清掃用シート。
【請求項４】
前記凹部は、前記繊維層が加圧されまたは溶着されることにより形成されている請求項１〜３のいずれかに記載の清掃用シート。
【請求項５】
前記凹部内では、前記繊維層が多数のドット状にまたは多数のストライプ状に加圧されまたは溶着されることにより形成されている請求項４記載の清掃用シート。
【請求項６】
前記拭き取り領域では、基材シートに前記繊維層が積層されている請求項１〜５のいずれかに記載の清掃用シート。
【請求項７】
基材シートの両面に前記繊維層が積層され、前記拭き取り領域と前記凹部とが、前記基材シートの表裏両面に設けられている請求項６記載の清掃用シート。
【請求項８】
前記基材シートと前記繊維層とを形成する繊維が熱溶着可能な繊維を含み、前記凹部において前記基材シートと前記繊維層とが少なくとも部分的に溶着されている請求項１〜７のいずれかに記載の清掃用シート。
【請求項９】
前記繊維層を形成する繊維が、前記境界部とほぼ平行に延びる長尺繊維を含む請求項１〜８のいずれかに記載の清掃用シート。
【請求項１０】
前記長尺繊維が、前記凹部以外の部分で部分的に溶着されている請求項９記載の清掃用シート。
【発明の詳細な説明】
【０００１】
【発明の属する技術分野】
本発明は、例えば清掃用モップに取り付けられて床面（被清掃面）などの汚れを拭き取る使い捨て清掃用シートに係わり、特に清掃用シートの全面を効率良く使用可能とし、ゴミ等の捕集能力を高めた清掃用シートに関する。
【０００２】
【従来の技術】
いわゆる使い捨て清掃用シートは、その表面に現れている繊維の複雑な絡みを利用してゴミやホコリを捕集するものであり、例えば清掃用モップの先端に設けられたプレートに取り付けられて使用される。
【０００３】
このようなモップを用いて拭き掃除を行なうと、プレートの底面が平面形状であるため、清掃用シートのうちの前記プレートの縁部を覆う部分にゴミが溜まりやすい一方、清掃用シートのうちの前記プレートの底面中央の領域ではゴミを捕集しにくく、清掃用シート全体が有効に利用できないという問題がある。
【０００４】
図８は前記の欠点を解消するための従来の清掃用シートを示す側部断面図、図９は従来の他の形態を示す側部断面図、図１０は従来の清掃用シートの使用状態の一例であり、図８に示す清掃用シートの側面図である。
【０００５】
図８に示す清掃用シート（清掃用シート）は例えば特開平１０−５１６３号公報に開示されているものと同種のものであり、シート３１の中間域３１ａの厚さ寸法が、その両端の周縁域３１ｂ，３１ｂの厚さ寸法に比べ、相対的に厚く形成されている。このシート３１を清掃用モップＭなどに取り付けると、前記中間域３１ａが清掃用モップＭのプレートＭｐの中央の領域に位置する。このシート３１で床面等の被清掃面を拭く際には、中間域３１ａが被清掃面に当接するとともに、前記周縁域３１ｂと被清掃面との間に段差部３２ａが形成される。そして、被清掃面に沿って清掃用モップＭを移動させ拭き取り作業を行なうことにより、比較的大きなゴミを前記段差部３２ａに集めることができ、捕集効果を高めることが可能となっている。
【０００６】
また、図９に示されるものでは、図８に示すものとは異なり、清掃用モップＭのプレートＭｐの底部そのものが凸型形状に形成され、この凸状の底面Ｍ１とその縁部Ｍ２，Ｍ２との間に段差部３２ｂ，３２ｂが形成される。この清掃用モップＭの底面Ｍ１を清掃用シート（平面シート）３１′で覆って清掃を行うと、前記段差部３２ｂの部分で比較的大きなゴミを捕集できる。
【０００７】
【発明が解決しようとする課題】
しかし、上記従来の技術では以下に示すような問題がある。
図８又は図９に示す従来のものでは、清掃用シート３１の中間域３１ａまたは清掃用モップＭの底面Ｍ１を覆っている清掃用シート３１′と被清掃面とが当たる面積が清掃用モップＭの底面の面積よりも狭くなっているため、清掃用モップＭが被清掃面に対して不安定となりやすい。例えば、図１０に示すように清掃用モップＭを被清掃面に沿ってＸ方向へ移動させたときに清掃用モップＭに作用する力が、被清掃面に対しプレートＭｐを傾けるように作用しやすい。このように清掃用モップＭのプレートＭｐが傾斜姿勢の状態で被清掃面が拭き取られると、清掃用モップＭを被清掃面に対してスムーズに移動させることができない。
【０００８】
また前記のものは、比較的大きなゴミを段差部３２ａ又は３２ｂで捕集することにより捕集効果を高める構成であるが、清掃用モップＭが傾斜姿勢で移動すると、清掃用モップＭの移動方向（Ｘ方向）に対し、図８に示されるものではシート３１の周縁域３１ｂの端部が、また図９に示されるものでは清掃用モップＭの縁部Ｍ２が被清掃面と接触し、これらが前記段差部３２ａ又は３２ｂの前方に位置することになる。よって、段差部３２ａ又は３２ｂ内へのゴミの進入が妨げられ、捕集効果を十分に得ることができないという問題がある。
【０００９】
本発明は上記従来の課題を解決するためのものであり、ゴミの捕集を安定して行える清掃用シートを提供することを目的としている。
また、本発明はゴミの捕集能力の高い清掃用シートを提供することを目的としている。
【００１０】
【課題を解決するための手段】
本発明は、繊維層を有して所定厚さに形成された嵩高の拭き取り領域と、前記拭き取り領域の両側部から延びる前記拭き取り領域よりも薄い取付け領域とを有する清掃用シートにおいて、前記拭き取り領域と前記取付け領域との境界部から前記拭き取り領域内に入り込む凹部が、前記境界部に沿って間隔を空けて複数箇所形成されていることを特徴とするものである。
【００１１】
上記清掃用シートは、例えば拭き取り領域が、清掃用モップのプレートの底面に設置され、取付け領域が前記プレートの上面に巻き上げられ、取付け領域の少なくとも一部が前記プレートの上面に固定される。好ましくは、前記拭き取り領域の面積が、プレートの底面とほぼ等しく形成される。
【００１２】
拭き取り領域は、その面積をプレートとほぼ等しくできるため、清掃用モップに取り付けられた状態で、前記拭き取り領域を床面等の被清掃面に当てたときに、清掃用モップのプレートが安定し、図１０に示すようにプレートが傾斜するなどの問題が生じない。また拭き取り領域と取付け領域の境界部から拭き取り領域に入り込む凹部が形成されているため、この凹部内に比較的大きな埃を取り込むことができ、拭き取り領域の比較的広い領域を有効に使用して清掃することができる。
【００１３】
上記において、個々の凹部の平面形状は、前記境界部で幅寸法が最も広く、前記拭き取り領域の中心に向って徐々に幅寸法が狭くなる形状であることが好ましい。
【００１４】
また、前記拭き取り領域の一方の側の前記境界部から前記拭き取り領域に入り込む複数の凹部と、他方の側の前記境界部から前記拭き取り領域内に入り込む複数の凹部とが、前記境界部に沿う方向へ互いに位置がずれて配置されていることが好ましい。
このように拭き取り領域の両側部に形成される凹部の位置を相違させると、清掃用シートを両方向へ動かしたときに、前記両側部に設けられたそれぞれの凹部により被清掃面の異なる場所の埃を捕捉することができる。
【００１５】
前記凹部は、前記繊維層が加圧されまたは溶着されることにより形成される。この場合、前記凹部内では、前記繊維層が多数のドット状にまたは多数のストライプ状に加圧されまたは溶着されることにより形成されることが好ましい。このように凹部において繊維層がドットまたはストライプにより部分的に溶着されていると、凹部内で繊維層の繊維が表面に現れることになり、この繊維により埃やごみを捕捉しやすくなる。
【００１６】
また本発明の清掃用シートは、前記拭き取り領域で、基材シートに前記繊維層が積層されていることにより構成できる。
また、基材シートの両面に前記繊維層が積層され、前記拭き取り領域と前記凹部とが、前記基材シートの表裏両面に設けられることにより、清掃用シートの表裏両面を使用して拭き取りをできる。
【００１７】
前記基材シートと前記繊維層とを形成する繊維が熱溶着可能な繊維を含み、前記凹部において前記基材シートと前記繊維層とが少なくとも部分的に溶着さることが可能である。また凹部は、単なる加圧、または溶着を伴わない加熱加圧で形成してもよい。
【００１８】
また、前記繊維層を形成する繊維が、前記境界部とほぼ平行に延びる長尺繊維を含むものであってもよい。または単繊維の集合により繊維層が形成されてもよい。
前記長尺繊維を用いる場合、前記凹部以外の部分で部分的に溶着されていることが好ましい。このように構成すると、トウなどの長尺繊維がばらつくことがなく、長尺繊維と長尺繊維との隙間で細かな埃を捕捉できるようになる。
【００１９】
【発明の実施の形態】
図１は本発明の清掃用シートの第１の実施の形態を示す斜視図、図２は前記清掃用シートの縁部の構造を示す拡大断面図、図３は図１の清掃用シートをＸ１又はＸ２方向から見たときの側面図である。
図１に示す清掃用シート１は、基材シート２の表裏両面に繊維層３が形成されている。繊維層３は、Ｘ方向（横方向：幅方向）に所定幅寸法を有してＹ方向（縦方向）へ延びる長方形状である。
【００２０】
繊維層３は、清掃用シート１のＸ方向の中央の領域に設けられ、清掃用シート１のＸ方向の両側部では、図２に示すように基材シート２の突出部２ａの表裏両面に補助シート５，５が積層されている。したがって、繊維層３のＸ方向の両側部は基材シート２と補助シート５の一部とで挟まれている。図２のＡ点で、基材シート２の突出部２ａと補助シート５，５とが互いに接合されている。またＢ点では、補助シート５，５の縁部どうしが接合されている。また後に説明する凹部αの部分および必要に応じて他の部分で、繊維層３と基材シート２、あるいは繊維層３と基材シート２と補助シート５，５とが互いに接合されている。
【００２１】
図１に示すように、基材シート２上に繊維層３が表裏両面に積層されている部分が拭き取り領域１２である。またＸ方向の両側部の補助シート５が延びている部分は、清掃用モップなどへ取付けるための取付け領域１１となっている。
基材シート２および補助シート５，５は、サーマルボンド、スパンボンド、スパンレースなどの不織布であり、ＰＥ、ＰＰ、ＰＥＴまたはこれらの複合繊維などの熱溶着可能な繊維を含んでいる。また補助シート５，５はポイントボンド不織布が好ましい。または基材シート２、補助シート５，５がフィルムや不織布や紙であってもよい。前記繊維層３は、Ｙ方向に延びる多数の長繊維（トウ）または多数の短冊状フィルム（ＢＳヤーン）などの長尺繊維が束ねられたものである。この長繊維または短冊状フィルムもＰＥ、ＰＰ、ＰＥＴまたはこれらの複合材料により形成されている。
【００２２】
基材シート２、補助シート５、繊維層３が熱溶着可能な繊維を含んでいる場合、図２に示すＡ点で補助シート５，５と基材シート２とが熱溶着され、Ｂ点で補助シート５と補助シート５とが熱溶着され、さらに凹部αならびに必要に応じて他の部分で基材シート２と繊維層３、または基材シート２と繊維層３と補助シート５，５が熱溶着されている。
【００２３】
または繊維層３はエアースルー不織布などの嵩高で繊維密度の低い不織布により形成されていてもよい。このエアースルー不織布などは、前記基材シート２にホットメルト型接着剤で接着されていてもよいし、またはエアースルー不織布などと基材シート２とが熱溶着されていてもよい。
【００２４】
また図１に示す清掃用シート１では、拭き取り領域１２と取付け領域１１との境界部Ｃａ，Ｃｂから、拭き取り領域１２に入り込む複数の凹部αが境界部Ｃａ，Ｃｂに沿って複数個形成されている。各凹部αは境界部Ｃａ，Ｃｂで幅寸法が最も広く、拭き取り領域１２の中心部に向けてその幅寸法が徐々に小さくなる平面形状であり、例えば凹部αは三角形である。またはＵ字形であってもよい。
【００２５】
境界部Ｃａ，Ｃｂでは、凹部αがＹ方向へ一定の間隔で設けられているが、境界部Ｃａに沿って並ぶ凹部αと、境界部Ｃｂに沿って並ぶ凹部αとが、Ｙ方向へ位置をずらすようにして設けられている。その結果、清掃用シート１を被清掃面に沿ってＸ１方向へ移動させたときとＸ２方向へ移動させたときとで、境界部Ｃａ側の凹部αと、境界部Ｃｂ側の凹部αとで異なる部分の埃を拭き取れるようになる。
【００２６】
これら凹部αは、繊維層３の一部を加圧あるいは加熱加圧し、または繊維層３と基材シート２とが熱溶着可能な繊維を含んでいるときには熱溶着することにより形成できる。この場合、凹部α全域を加圧しまたは加熱加圧しあるいは熱溶着してもよいが、凹部α全面を加圧しすぎると、凹部α内で繊維層３の繊維が埃やごみの捕捉効果を発揮できなくなる。よって凹部α内で、前記加圧または加熱加圧部（エンボス部）あるいは溶着部をドット状にまたはＹ方向へ延びてＸ方向へ平行なストライプ状に形成すると、凹部α内の繊維で埃やごみの捕捉効果を発揮できる。
【００２７】
図３に示すように、この清掃用シート１をＸ１方向またはＸ２方向から見たとき、凹部αが薄肉部でその他の部分が嵩高部（厚肉部）７になる。
なお、繊維層３は基材シート２の片面のみに設けられていてもよいしまたは両面に設けられていてもよい。繊維層３が基材シート２の両面に設けられている場合に、前記凹部αは、片面側の繊維層３のみに設けられていてもよいし、または両面の繊維層３のそれぞれに設けられていてもよい。
【００２８】
図７に示すように、清掃用シート１は清掃用モップＭに取り付けられて使用することができる。清掃用モップＭは、プレート２１に柄２２が取り付けられている。本発明の清掃用シート１は、拭き取り領域１２がプレート２１の底部側に設置され、床などの被清掃面の対向面に設置され、清掃用シート１の両端部の取付け領域１１がプレート２１の上面に巻き上げられ、保持クリップ２３により保持される。
【００２９】
清掃用モップＭのプレート２１を被清掃面に沿ってＸ方向へ摺動させる際、拭き取り領域１２の嵩高部７は、十分に広い幅寸法Ｗを有しているため、拭き取りシート１の拭き取り領域１２が前記の広い幅寸法Ｗで被清掃面に当たることになり、拭き取り領域１２と被清掃面との密着が安定し、従来のようにプレート２１が傾くことがない。またそのためには、清掃用シート１の拭き取り領域１２の幅寸法Ｗとプレート２１の幅寸法とがほぼ一致し、拭き取り領域１２とプレート２１の底面との面積がほぼ等しいことが好ましい。
【００３０】
また境界部Ｃａ，Ｃｂに沿って複数の凹部（薄肉部）αが形成されているため、プレート２１を被清掃面に沿ってＸ１方向およびＸ２方向へ移動させたときに、凹部αが被清掃面上の埃や比較的大きなごみを有効に捕捉できる。また被清掃面上の埃は前記凹部α内で集められて拭き取り領域１２の中央部に集められるため、細かな埃を凹部α以外の嵩高部７によって捕捉しやすくなり、従来のように拭き取り領域の縁部のみに埃が溜まることがない。その結果、拭き取り領域１２の全域を有効に使用して、清掃を行うことができる。
【００３１】
特に、凹部α内の加圧、加熱加圧あるいは熱溶着をドット状、さらに好ましくはＹ方向に延びるストライプ状にすると、凹部α内の繊維で埃やごみを取りやすくなる。また凹部αが三角形などであると凹部αの三角形の頂点の部分で大きなごみを捕捉しやすくなる。さらに境界部Ｃａと境界部Ｃｂで凹部αがＹ方向へ位置がずれて互い違いに設けられていると、プレート２１をＸ１方向へ摺動させたときとＸ２方向へ摺動させたときとで、被清掃面の異なる部分のごみを凹部αで捕捉できるようになる。
【００３２】
図４は、清掃用シートの第２の実施の形態を示す平面図である。
図４に示すものでは、清掃用シートの拭き取り領域１２の両側の境界部ＣａとＣｂから拭き取り領域１２の中央に向けて正方形又は長方形状の凹部α１が形成されている。このような形状に形成することによっても、上記同様にゴミやホコリを安定して効率良く捕集することができる。
なお、上記のように凹部の形状は、三角形状、Ｕ字形状、正方形又は長方形に限られるものではなく、その他例えば半円状のものなど任意の形状とすることができる。
【００３３】
図５は清掃用シートの繊維層３をトウ（長繊維）３ａまたは短冊状フィルムなどの長尺繊維で形成された場合の詳しい構造を示す平面図、図６は図５に示される清掃用シートの部分拡大斜視図である。
【００３４】
この清掃用シート１の構造は、図１と図２に示したものと同様に、基材シート２の両側に繊維層３，３が積層され、繊維層３，３の両側部に補助シート５，５が重ねられているものである。
繊維層３は、トウ（長繊維）３ａまたは短冊状フィルム（ＢＳヤーン）などの長尺繊維材料を束ねたものであり、トウ３ａなどの延びる方向はＹ方向（縦方向）である。繊維層３が積層されている拭き取り領域１２および、補助シート５，５が延びる取付け領域１１，１１ならびに境界部Ｃａ，Ｃｂにおいて、熱溶着線４がＸ方向およびＹ方向に対して斜めに前記トウ３ａなどを横断するように形成されており、この熱溶着線４がＸ方向およびＹ方向へ規則的に配列している。
【００３５】
その結果、図６に示すように、熱溶着線４の端部４ａと４ａとの間で、トウ３ａなどの長尺繊維に膨らみが形成され、トウ３ａなどの側部にポケット１６が形成されて、このポケット１６で細かな埃の捕捉が可能になる。
また、凹部α内では、トウ３ａの延びるＹ方向に沿い且つＸ方向に細かなピッチで形成されたストライプ状の加圧部または加熱加圧部（熱エンボス）あるいは溶着部が形成されている。
【００３６】
図５に示すものでは、凹部αによって比較的大きなごみが捕捉されると共に、この凹部αにより埃やごみが拭き取り領域１２の中央部に導かれ、凹部α以外の嵩高部では図６に示すポケット１６により埃が捕捉される。よって拭き取り領域１２の全域をさらに有効にしようできる。
【００３７】
なお、本発明の清掃用シートの使用は清掃用モップに取り付けて使用される場合に限られない。例えば、清掃用シートを手で保持して使用したり、ハンディモップに取り付けて使用することが可能である。
【００３８】
また本発明の清掃用シートには、ホコリ等を吸着しやすくするために油剤を含有させることが好ましい。油剤は、パラフィン等の鉱物油、ポリオレフィン等の合成油、シリコーン油、界面活性剤などである。またこの油剤を拭き取り領域１２において凹部α以外の嵩高部７のみに含ませることができる。この場合、凹部αでは比較的大きなごみが捕捉でき、細かな埃は油剤を含ませた嵩高部７で保持しやすくなる。
また前記油剤の他、本発明における清掃用シートに、例えば消臭剤、保湿剤、抗菌剤等の物質を含有させることができる。
【００３９】
なお、前記拭き取り領域１２と凹部αの形成構造として、基材シート２を嵩高な不織布や発泡樹脂材料あるいはゴム材料などで形成すると共に、この基材シート２にプレスやエンボスにより凹部αを形成し、この基材シートの表面にスパンレース不織布などの薄い不織布を重ね、基材シートとスパンレース不織布などを接合してもよい。
なお熱溶着可能な繊維を含む場合、熱溶着は熱エンボスローラを用いても良いし、あるいは超音波ホーンとアンビルを用いてもよい。
【００４０】
【発明の効果】
以上詳述した本発明によれば、拭き取り領域の縁部に凹凸面が形成されるため、拭き取り作業の際の清掃用シートの姿勢を安定させることができる。
また拭き取り領域の縁部に形成された凹部から比較的大きなゴミを清掃用シートの中央部に導くことができ、汚れを拭き取り領域全体で拭き取ることが可能となるため、清掃用シートを無駄なく有効に使用することができる。
【図面の簡単な説明】
【図１】本発明の清掃用シートの第１の形態を示す斜視図、
【図２】図１の清掃用シートの縁部の構造を示す拡大断面図、
【図３】図１のＸ１又はＸ２方向から見たときの側面図、
【図４】清掃用シートの第２の実施の形態を示す平面図、
【図５】清掃用シートのさらに詳しい構造を示す平面図、
【図６】図５に示される清掃用シートの拡大斜視図、
【図７】本発明の清掃用シートの使用形態の一例を示す斜視図、
【図８】従来の清掃用シートを示す側部断面図、
【図９】従来の他の形態を示す側部断面図、
【図１０】従来の清掃用シートの使用状態の一例であり、図８に示す清掃用シートの側面図
【符号の説明】
１  清掃用シート
２  基材シート
３  繊維層
３ａ  トウ（長繊維）
４  熱溶着線
５  補助シート
７  嵩高部
１１  取付け領域
１２  拭き取り領域
Ｍ  清掃用モップ
α，α１  凹部
【図１】
0003558892.tif 000002
【図２】
0003558892.tif 000003
【図３】
0003558892.tif 000004
【図４】
0003558892.tif 000005
【図５】
0003558892.tif 000006
【図６】
0003558892.tif 000007
【図７】
0003558892.tif 000008
【図８】
0003558892.tif 000009
【図９】
0003558892.tif 000010
【図１０】
0003558892.tif 000011